(57)【要約】【課題】  武道用長尺物の収容作業が容易にでき、又、清拭やゴミの除去が容易にでき、又、ポケットに使用する生地の量を少なくすると共に、縫製を簡単にできる武道用長尺物の収容袋の提供。【解決手段】  内部に２本の竹刀Ａ（武道用長尺物）を収容させるように形成した帯状袋本体１を備え、帯状袋本体の正面側先端部に木刀Ｂ（武道用長尺物）の刀先Ｂ１を収容させるためのポケット２０が形成され、帯状袋本体の正面側中程部に木刀の刀身Ｂ２中程部を挿通保持させるための通しバンド２１が取り付けられ、帯状袋本体の袋口１０側部分に木刀の柄部Ｂ３に回し掛けるための止めベルト２２が取り付けられている。【選択図】  図１
0003109124.tif 000002
【実用新案登録請求の範囲】
【請求項１】
内部に１本又は複数本の武道用長尺物を収容させるように形成した帯状袋本体を備え、
この帯状袋本体の正面側先端部に武道用長尺物の先端を収容させるためのポケットが形成され、
帯状袋本体の正面側中程部に武道用長尺物の中程部を挿通保持させるための通しバンドが取り付けられ、
帯状袋本体の袋口側部分に武道用長尺物の手元部に回し掛けるための止めベルトが取り付けられていることを特徴とした武道用長尺物の収容袋。
【請求項２】
請求項１記載の収容袋において、
帯状袋本体の袋口背面縁から蓋片が延長して形成され、
この蓋片の背面に、袋口を塞ぐ状態に折り返した該蓋片を帯状袋本体と共に縛るための紐体が左右に延長して取り付けられ、
一方の紐体の先端部に雄側係止部材が着脱可能に取り付けられ、他方の紐体の先端部に雌側係止部材が着脱可能に取り付けられ、
前記紐体により蓋片を帯状袋本体と共に縛った状態で、前記雄側係止部材が雌側係止部材に対して係脱可能に形成されている武道用長尺物の収容袋。
【請求項３】
請求項１記載の収容袋において、
帯状袋本体の袋口背面縁から延長して形成された蓋片の先端に雄側係止部材が取り付けられると共に、帯状袋本体の袋口正面縁部に雌側係止部材が取り付けられ、
前記蓋片を袋口を塞ぐ状態に折り返した状態で、前記雄側係止部材が雌側係止部材に対して係脱可能に形成されている武道用長尺物の収容袋。
【請求項４】
請求項１又は２又は３記載の収容袋において、武道用長尺物が、竹刀、木刀、杖又は薙刀である武道用長尺物の収容袋。
【考案の詳細な説明】
【技術分野】
【０００１】
本考案は、内部に１本又は複数本の武道用長尺物を収容でき、正面側にも１本又は複数本の武道用長尺物を収容できるようにした武道用長尺物の収容袋に関する。
【背景技術】
【０００２】
従来、例えば、竹刀袋として、内部に２本の竹刀を収容でき、外部に１本の木刀を収容できるようにしたものが知られている（非特許文献１参照）。
この竹刀袋は、帯状袋本体の内部に２本の竹刀を収容させ、かつ帯状袋本体の正面中程から正面先端にかけての範囲に形成したポケット内に木刀を刀身のほぼ全長が納まるように収容させ、かつ帯状袋本体の袋口側に設けた止めベルトを木刀の柄部に回し掛けるようになっていた。
【０００３】
しかしながら、従来の竹刀袋では、ポケットが、木刀の刀身のほぼ全長を収容するように帯状袋本体の正面中程から正面先端にかけての範囲に形成されているため、そのポケットは、幅狭い上に深さが深いものになっていた。
【０００４】
従って、木刀を竹刀袋に収容するに際し、木刀をポケットに刀先から差込んでいくことになるが、差込み初めから差込み終りまで木刀の刀先がポケットに差込まれたままであるため、刀先を動かす範囲が狭くなり、その差込み作業がしにくくなるという問題があった。
又、ポケットが深いため、内部の清拭が非常に困難であるし、また、内部に溜まったゴミの除去ができないという問題があった。
又、ポケットに使用する生地の量が多くなると共に、縫製に手間がかかるという問題もあった。
【非特許文献１】京都東山堂インターネットホームページ（ＵＲＬ：ｈｔｔｐ：／／ｔｏｚａｎｄｏ．ｎｅｔ／）
【考案の開示】
【考案が解決しようとする課題】
【０００５】
本考案は、武道用長尺物の収容作業が容易にでき、又、清拭やゴミの除去が容易にでき、又、ポケットに使用する生地の量を少なくすると共に、縫製を簡単にできる武道用長尺物の収容袋を提供することを課題としている。
【課題を解決するための手段】
【０００６】
上記の課題を解決するために、本考案（請求項１）の武道用長尺物の収容袋は、内部に１本又は複数本の武道用長尺物を収容させるように形成した帯状袋本体を備え、この帯状袋本体の正面側先端部に武道用長尺物の先端を収容させるためのポケットが形成され、帯状袋本体の正面側中程部に武道用長尺物の中程部を挿通保持させるための通しバンドが取り付けられ、帯状袋本体の袋口側部分に武道用長尺物の手元部に回し掛けるための止めベルトが取り付けられている構成とした。
【０００７】
この場合、帯状袋本体の正面に、ポケットと、通しバンドと、止めベルトによって取り付ける武道用長尺物の本数についても１本又は複数本としている。
【０００８】
又、本考案の武道用長尺物の収容袋（請求項２）は、請求項１記載の収容袋において、帯状袋本体の袋口背面縁から蓋片が延長して形成され、この蓋片の背面に、袋口を塞ぐ状態に折り返した該蓋片を帯状袋本体と共に縛るための紐体が左右に延長して取り付けられ、一方の紐体の先端部に雄側係止部材が着脱可能に取り付けられ、他方の紐体の先端部に雌側係止部材が着脱可能に取り付けられ、前記紐体により蓋片を帯状袋本体と共に縛った状態で、前記雄側係止部材が雌側係止部材に対して係脱可能に形成されている構成とした。
【０００９】
又、本考案の武道用長尺物の収容袋（請求項３）は、請求項１記載の収容袋において、帯状袋本体の袋口背面縁から延長して形成された蓋片の先端に雄側係止部材が取り付けられると共に、帯状袋本体の袋口正面縁部に雌側係止部材が取り付けられ、前記蓋片を袋口を塞ぐ状態に折り返した状態で、前記雄側係止部材が雌側係止部材に対して係脱可能に形成されている構成とした。
【００１０】
又、本考案の武道用長尺物の収容袋（請求項４）は、請求項１又は２又は３記載の収容袋において、武道用長尺物が、竹刀、木刀、杖又は薙刀である構成とした。
【００１１】
この場合、帯状袋本体の内部に複数本の武道用長尺物を収容させる場合は、同一種類の武道用長尺物同士（例えば、竹刀同士）を収容させてもよいし、異なる種類の武道用長尺物（例えば、竹刀と木刀）を組み合わせて収容してもよい。
又、帯状袋本体の正面に複数本の武道用長尺物を取り付ける場合にも、同一種類の武道用長尺物同士（例えば、竹刀同士）を収容させてもよいし、異なる種類の武道用長尺物（例えば、竹刀と木刀）を組み合わせて収容してもよい。
又、帯状袋本体の内部に収容する武道用長尺物と、帯状袋本体の正面に取り付ける武道用長尺物は、例えば、内部が竹刀で正面が木刀又は竹刀、内部が杖で正面が木刀又は杖、あるいは内部が薙刀で正面が薙刀のように、同一種類でも異なる種類でもよい。
【考案の効果】
【００１２】
本考案の武道用長尺物の収容袋は、帯状袋本体の正面に武道用長尺物を取り付けるに際しは、まず、武道用長尺物の先端を通しバンドに差入れ、そのまま武道用長尺物を通しバンドに差込んでいき、次に、武道用長尺物の先端をポケットに差込む。そして、最後に、武道用長尺物の手元部に止めベルトを回し掛けることになる。
これにより、武道用長尺物の先端をポケットで保持し、武道用長尺物の中程部を通しバンドで保持し、武道用長尺物の手元部を止めベルトで保持した状態で収容することができる。
【００１３】
このように、帯状袋本体の正面に武道用長尺物を収容するに際し、まず、武道用長尺物の先端を通しバンドに差入れるため、この状態では武道用長尺物の先端を自由に動かすことができ、武道用長尺物の先端をポケットに容易に差込むことができる。
【００１４】
又、ポケットは武道用長尺物の先端を収容させる深さであるため、清拭やゴミの除去が容易にできるし、又、ポケットに使用する生地の量が少なくて足りるし、縫合長さが短くなるので、縫製を簡単にすることができる。
【考案を実施するための最良の形態】
【００１５】
図１は竹刀袋の実施例を示す斜視図、図２は木刀を収容した状態の竹刀袋を示す斜視図、図３は竹刀袋の背面を示す斜視図である。
即ち、この実施例では、武道用長尺物の一例である竹刀２本を帯状袋本体の内部に収容させ、かつ帯状袋本体の正面に１本の木刀を取り付けるようにした竹刀袋を、武道用長尺物の収容袋の例としている。
【００１６】
図において、１は帯状袋本体であり、帆布、皮、合皮、その他の布や合成樹脂シート等で形成され、帯状筒体の先端が閉塞されると共に、基端に竹刀挿入口となる袋口１０が形成され、その内部に２本の竹刀Ａ，Ａを収容させるように形成されている。
【００１７】
この帯状袋本体１の正面側先端部には、木刀Ｂの刀先Ｂ１を収容させるためのポケット２０が形成され、また、帯状袋本体１の正面側中程部に木刀Ｂの刀身Ｂ２の中程部を挿通保持させるための通しバンド２１が取り付けられている。
【００１８】
又、帯状袋本体１の袋口１０側部分に木刀Ｂの柄部Ｂ３に回し掛けるための止めベルト２２が取り付けられている。
この止めベルト２２は、基端に環金具２２ａが取り付けられており、使用に際しては、前記環金具２２ａに止めベルト２２を先端から通して折り返し、折り返した先端を面ファスナ２２ｂ，２２ｃによって接合させるように形成されている。
【００１９】
又、前記帯状袋本体１の袋口１０の背面縁から蓋片１１が延長して形成され、この蓋片１１の背面に、袋口１０を塞ぐ状態に折り返した該蓋片１１を帯状袋本体１と共に縛るための紐体３ａ，３ｂ（平紐）が左右に延長して取り付けられている。
この紐体３ａ，３ｂを用いて蓋片１１を帯状袋本体１と共に縛ることにより、袋口１０に対する蓋片１１の閉鎖状態を保持させることができる。
そして、一方の紐体３ａの先端部に雄側係止部材３１が着脱可能に取り付けられ、他方の紐体３ｂの先端部に雌側係止部材３２が着脱可能に取り付けられている。
【００２０】
前記雄側係止部材３１は、弾性によって外向きに付勢された２本の爪体を有すると共に、基端に形成した通し穴に一方の紐体３ａを通して折り返し、その折り返し端を金具３３によって長さ調節可能及び着脱可能に止め付けられている。
前記雌側係止部材３２は、前記雄側係止部材３１の爪体を差込んで着脱可能に係合させる係止穴が形成され、基端に形成した通し穴に他方の紐体３ｂを通して折り返し、その折り返し端を金具３４によって長さ調節可能及び着脱可能に止め付けられている。
そして、前記雄側係止部材３１と雌側係止部材３２は、前記紐体３ａ，３ｂにより蓋片１１を帯状袋本体１と共に縛った状態で係脱可能に形成され、これにより、紐体３ａ，３ｂが解けるのを防止することができる。
【００２１】
なお、前記帯状袋本体１の背面には、図３に示すように、肩掛バンド４が取り付けられている。
この肩掛バンド４は、一端を前記通しバンド２１の背面に連結させ、他端を前記止めベルト２２の背面に取り付けた環金具４０に通して折り返し、その折り返し端を該肩掛バンド４に移動可能に設けた金具４１に連結させることで、長さ調節可能に形成している。
【００２２】
本実施例の竹刀袋では、帯状袋本体１の内部に竹刀Ａ（１本又は２本）を収容する場合、袋口１０から竹刀Ａを差込み、その後、蓋片１１を、袋口１０を塞ぐ状態に折り返して、左右の紐体３ａ，３ｂにより蓋片１１と帯状袋本体１とを共に縛り、その先端の雄側係止部材３１と雌側係止部材３２を係合させるものである。
なお、竹刀Ａを取り出す場合には、前記雄側係止部材３１と雌側係止部材３２の係合を解除させて、左右の紐体３ａ，３ｂを解き、蓋片１１を開いて袋口１０から竹刀Ａを引き抜くことになる。
【００２３】
前記雄側係止部材３１及び雌側係止部材３２は、紐体３ａ及び紐体３ｂに着脱可能に取り付けられているため、この雄側係止部材３１及び雌側係止部材３２を紐体３ａ及び紐体３ｂから取り外し、左右の紐体３ａ，３ｂにより蓋片１１と帯状袋本体１とを共に縛って左右の紐体３ａ，３ｂ同士を結ぶようにすることもできる。
このように、使用者の好みに応じて、雄側係止部材３１及び雌側係止部材３２を用いる場合と、用いない場合とに使い分けることができる。
【００２４】
又、木刀Ｂを帯状袋本体１の正面に取り付けるに際しては、まず、木刀Ｂの刀先Ｂ１を通しバンド２１に差入れ、引き続き刀身Ｂ２を通しバンド２１に差込んでいき、次に、刀先Ｂ１をポケット２０に差込むものである。そして、最後に、木刀Ｂの柄部Ｂ３に止めベルト２２を回し掛けることになる。
【００２５】
これにより、刀先Ｂ１をポケット２０で保持し、刀身Ｂ２を通しバンド２１で保持し、柄部Ｂ３を止めベルト２２で保持した状態で木刀Ｂを帯状袋本体１の正面に取り付けることができる。
【００２６】
この際、まず、木刀Ｂの刀先Ｂ１を通しバンド２１に差入れるため、この状態では木刀Ｂの刀先Ｂ１を自由に動かすことができ、木刀Ｂを動かし易いため、容易に刀先Ｂ１をポケット２０に差込むことができる。
【００２７】
次に、図４は本考案の他の実施例の竹刀袋の一部を示す斜視図である。
この実施例では、帯状袋本体１の袋口背面縁から延長して形成された蓋片１１の先端に雄側係止部材５１が取り付けられると共に、帯状袋本体１の袋口正面部に雌側係止部材５２が取り付けられている。
【００２８】
前記雄側係止部材５１は、弾性によって上向きに付勢された爪体を有し、この雄側係止部材５１を雌側係止部材５２に差込んで、爪体を着脱可能に係合させるように形成されている。
そして、前記蓋片１１を袋口１０を塞ぐ状態に折り返した状態で、前記雄側係止部材５１が雌側係止部材５２に対して係脱可能に形成され、この雄側係止部材５１と雌側係止部材５２との係合により、袋口１０に対する蓋片１１の閉鎖状態を保持させることができる。
【図面の簡単な説明】
【００２９】
【図１】本考案の一実施例である竹刀袋を示す斜視図である。
【図２】木刀を収容した状態の竹刀袋を示す斜視図である。
【図３】竹刀袋の背面を示す斜視図である。
【図４】本考案の他の実施例の竹刀袋の一部を示す斜視図である。
【符号の説明】
【００３０】
１  帯状袋本体
１０  袋口
１１  蓋片
２０  ポケット
２１  通しバンド
２２  止めベルト
２２ａ  環金具
２２ｂ  面ファスナ
２２ｃ  面ファスナ
３ａ  紐体
３ｂ  紐体
３１  雄側係止部材
３２  雌側係止部材
３３  金具
３４  金具
４  肩掛バンド
４０  環金具
４１  金具
５１  雄側係止部材
５２  雌側係止部材
Ａ  竹刀（武道用長尺物）
Ｂ  木刀（武道用長尺物）
Ｂ１  刀先
Ｂ２  刀身
Ｂ３  柄部
【図１】
0003109124.tif 000003
【図２】
0003109124.tif 000004
【図３】
0003109124.tif 000005
【図４】
0003109124.tif 000006